(57)【要約】【課題】シャックルピンの脱落を完全に防止することができるようにしたシャックルを提供することである。【解決手段】シャックル本体１の対向一対の軸部３ａ、３ｂの一方の軸部３ａの端部にねじ孔５を形成し、他方の軸部３ｂの端部にピン挿通孔６を設ける。ピン挿通孔６の小径孔部６ｂの内径をねじ孔５の内径より小径とする。ねじ孔５とピン挿通孔６間に渡されるシャックルピン１１の先端部にねじ孔５にねじ係合可能なねじ軸１２を設け、そのねじ軸１２がねじ孔５にねじ係合する状態でピン挿通孔６の小径孔部６ｂから外側に位置する後端部に頭部１３を形成する。ピン挿通孔６の小径孔部６ｂの外側開口端の周囲部に対する頭部１３の当接、および、大径孔部６ａの閉塞端面に対するねじ軸１２の付け根側の端面１２ａの当接によってシャックルピン１１の脱落を防止する。【選択図】図２
2011080517.tif 000002
【特許請求の範囲】
【請求項１】
Ｕ字形屈曲部の両端に対向一対の軸部が連設されたシャックル本体と、そのシャックル本体の対向一対の軸部の端部間に渡されるシャックルピンとからなるシャックルにおいて、
前記対向一対の軸部の一方の軸部における端部に、他方の軸部に向く貫通状のねじ孔を形成し、他方の軸部の端部には前記ねじ孔と同軸上に、そのねじ孔の内径より小径のピン挿通孔を設け、前記シャックルピンが前記ピン挿通孔に挿入可能な外径とされ、そのシャックルピンの先端部に前記ねじ孔にねじ係合可能な大径のねじ軸部を形成し、そのねじ軸部を前記ねじ孔にねじ係合した状態で前記ピン挿通孔から外側に位置するシャックルピンの後端部にピン挿通孔に対して挿通不能な大きさの頭部を設けたことを特徴とするシャックル。
【請求項２】
前記ピン挿通孔が、大径孔部と小径孔部とからなる段付き孔とされ、その段付き孔を大径孔部が対向する軸部側に位置するよう形成し、前記大径孔部の内径をねじ軸部の外径より大径とし、前記小径孔部の内径を前記ねじ軸部の外径より小径でシャックルピンの外径より大径とした請求項１に記載のシャックル。
【請求項３】
前記頭部が、シャックルピンの径方向からのプレス押し潰しによる請求項１又は２に記載のシャックル。
【発明の詳細な説明】
【技術分野】
【０００１】
この発明は、安全ネットを張設する場合や、クレーンによって荷物を積み降ろしする場合等に用いられるシャックルに関する。
【背景技術】
【０００２】
建設現場等の高所で作業する場合、作業者の安全性を確保するため、安全ネットが張設される。その安全ネットを張設する際には、Ｕ字形シャックル本体の対向一対の軸部の端部間に頭部を有するシャックルピンを掛け渡したシャックルが用いられる。
【０００３】
ここで、シャックルピンが、対向一対の軸部の端部に形成されたピン孔に挿入され、一方のピン孔から外側に位置するシャックルピンの先端部外周の雄ねじにナットをねじ係合し、そのナットの締め付けによって上記シャックルピンを抜止めする構成であると、ナットの取外しにより、ピン孔からシャックルピンを完全に引き抜くことができるため、上記シャックルピンの取付け、取外しの際に、そのシャックルピンを誤って落下させる危険がある。
【０００４】
そのような不都合を解消するため、特許文献１に記載のシャックルにおいては、シャックル本体の対向一対の軸部の端部それぞれにねじ孔を形成し、その一対のねじ孔間に渡されるシャックルピンの先端部外周に雄ねじを設け、その雄ねじを一方のねじ孔にねじ係合して一対の軸部の対向端部間にシャックルピンを渡し、そのシャックルピンがシャックル本体の対向一対の軸部の端部間に形成された開口を開放する開放状態で、そのシャックルピンの雄ねじの端部を一方の軸部に形成されたねじ孔の雌ねじの端部に軸方向で対向させてシャックルピンを抜止めするようにしている。
【先行技術文献】
【特許文献】
【０００５】
【特許文献１】実用新案登録第３１１６０１４号公報
【発明の概要】
【発明が解決しようとする課題】
【０００６】
ところで、特許文献１に記載されたシャックルにおいては、シャックルピンを回転させない限り、そのシャックルピンを取外すことができないが、上記シャックルピンの開放状態で、雄ねじとねじ孔の雌ねじがねじ係合する場合がある。
【０００７】
雄ねじとねじ孔の雌ねじが万一ねじ係合すると、シャックルの取り扱い時の振動等でシャックルピンが回転して抜け落ちることがあり、シャックルピンの脱落を完全に防止することができない。
【０００８】
また、上記従来のシャックルにおいては、シャックル本体の対向一対の軸部のそれぞれに下孔を形成し、その下孔に対するタッピングによって雌ねじを形成する必要があるため、製作に手間がかかり、コストも高いという不都合がある。
【０００９】
この発明の課題は、シャックルピンの脱落を完全に防止することができるようにしたコストの安いシャックルを提供することである。
【課題を解決するための手段】
【００１０】
上記の課題を解決するために、この発明においては、Ｕ字形屈曲部の両端に対向一対の軸部が連設されたシャックル本体と、そのシャックル本体の対向一対の軸部の端部間に渡されるシャックルピンとからなるシャックルにおいて、前記対向一対の軸部の一方の軸部における端部に、他方の軸部に向く貫通状のねじ孔を形成し、他方の軸部の端部には前記ねじ孔と同軸上に、そのねじ孔の内径より小径のピン挿通孔を設け、前記シャックルピンが前記ピン挿通孔に挿入可能な外径とされ、そのシャックルピンの先端部に前記ねじ孔にねじ係合可能な大径のねじ軸部を形成し、そのねじ軸部を前記ねじ孔にねじ係合した状態で前記ピン挿通孔から外側に位置するシャックルピンの後端部にピン挿通孔に対して挿通不能な大きさの頭部を設けた構成を採用したのである。
【００１１】
上記の構成からなるシャックルにおいて、シャックル本体の対向一対の軸部の端部間に形成された開口の閉鎖に際しては、シャックルピンの先端部に形成されたねじ軸部を一方の軸部に形成されたねじ孔にねじ込み、シャックルピンの後端部に設けられた頭部の付け根を他方の軸部に形成されたピン挿通孔の外側開口端の周囲部に当接させる。その当接によって、シャックルピンはねじ込み方向に移動するのが防止されることになり、ねじ込み方向への脱落が防止される。
【００１２】
シャックルピンが対向一対の軸部の端部間に形成された開口を閉鎖する状態において、そのシャックルピンを弛める方向に回転し、ねじ孔に対するねじ軸部のねじ係合を解除して軸方向に引くことにより、対向一対の軸部の端部間に形成された開口を開放することができる。
【００１３】
上記開口を開放するシャックルピンの開放状態において、先端部に設けられたねじ軸部の付け根側の端面がピン挿通孔の内側開口端の周囲部と軸方向で対向し、上記シャックルピンに引抜き方向の軸力が付加されると、そのねじ軸部の付け根側の端面がピン挿通孔の内側開口端の周囲部に当接し、その当接によってシャックルピンは引抜き方向に移動するのが防止され、抜止め状態とされる。
【００１４】
ここで、ピン挿通孔を、大径孔部と小径孔部とからなる段付き孔とし、その段付き孔を大径孔部が対向する軸部側に位置するよう形成し、前記大径孔部の内径をねじ軸部の外径より大径とし、前記小径孔部の内径を前記ねじ軸部の外径より小径でシャックルピンの外径より大径とすると、大径孔部の閉塞端面にねじ軸部の付け根側の端面が当接する位置までシャックルピンを引抜き方向に移動させることができるため、対向一対の軸部の端部間に形成された開口を大きく開放させることができる。
【００１５】
また、シャックルピンの径方向からのプレス押し潰しによって頭部を形成することにより、頭部を簡単に形成することができる。
【発明の効果】
【００１６】
上記のように、この発明に係るシャックルにおいては、シャックルピンがシャックル本体の対向一対の軸部の端部間に形成された開口を閉鎖する状態で、シャックルピンの後端部に設けられた頭部の付け根が他方の軸部に形成されたピン挿通孔の外側開口端の周囲部と軸方向で対向し、また、上記開口を開放する状態でねじ軸部の付け根側の端面がピン挿通孔の内側開口端の周囲部と軸方向で対向するため、シャックルピンの脱落を完全に防止することができる。
【００１７】
また、シャックル本体の対向一対の軸部の一方にねじ孔を形成し、他方にピン挿通孔を設けたことにより、対向一対の軸部のそれぞれにねじ孔を形成する場合に比較して、製作が容易となり、コストの安いシャックルを提供することができる。
【図面の簡単な説明】
【００１８】
【図１】この発明に係るシャックルの実施の形態を示す斜視図
【図２】図１に示すシャックルの一部切欠正面図
【図３】シャックルピンの閉鎖状態を示す一部切欠正面図
【図４】（I）乃至（IV）はシャックルの製造を段階的に示す一部切欠正面図
【発明を実施するための形態】
【００１９】
以下、この発明の実施の形態を図面に基いて説明する。図１乃至図３に示すように、この発明に係るシャックルは、シャックル本体１と、シャックルピン１１とからなる。
【００２０】
シャックル本体１は、Ｕ字形屈曲部２の両端に対向一対の軸部３ａ、３ｂを連設した構成とされている。対向一対の軸部３ａ、３ｂの端部には扁平な座板部４ａ、４ｂが形成され、一方の座板部４ａには対向面に貫通するねじ孔５が設けられ、他方の座板部４ｂには、上記ねじ孔５と同軸上にピン挿通孔６が形成されている。
【００２１】
ピン挿通孔６は、大径孔部６ａと小径孔部６ｂとから成る段付き孔からなり、その大径孔部６ａが一方の座板部４ａと対向するようにして形成されている。この大径孔部６ａの内径はねじ孔５の谷の径より大径とされ、一方、小径孔部６ｂはねじ孔５の内径より小径とされている。
【００２２】
シャックルピン１１は、上記小径孔部６ｂの内側に微少な間隙をおいて挿入可能な外径の丸軸からなり、そのシャックルピン１１の先端部に大径のねじ軸１２が形成され、そのねじ軸１２がシャックル本体１の上記ねじ孔５に対してねじ係合可能とされている。
【００２３】
図４（I）および（II）に示すように、シャックルピン１１は、シャックル本体１の一方の軸部３ａに形成されたねじ孔５の一側方から、そのねじ孔５およびピン挿通孔６に挿入されて、ねじ孔５にねじ軸１２がねじ係合される。図４（III）に示すように、ねじ軸１２の全体がねじ孔５にねじ係合された状態において、ピン挿通孔６から外側に位置するシャックルピン１１の端部がプレスによる径方向への押し潰しによって扁平な頭部１３が形成される。また、扁平な頭部１３には対向一対の平面に貫通する工具係合孔１４が形成される。
【００２４】
ここで、頭部１３は、ピン挿通孔６の小径孔部６ｂに対して挿通不能な大きさとされている。
【００２５】
実施の形態で示すシャックルは上記の構造からなり、図３は、シャックルピン１１のねじ軸１２をシャックル本体１の一方の軸部３ａに形成されたねじ孔５にねじ係合した状態を示し、シャックル本体１の対向一対の軸部３ａ、３ｂの対向部間に形成された開口７はシャックルピン１１によって閉鎖状態とされている。
【００２６】
開口７を閉鎖するシャックルピン１１の閉鎖状態において、シャックルピン１１の頭部１３は、ピン挿通孔６における小径孔部６ｂの外側開口端の周囲部と軸方向で対向し、その対向によってシャックルピン１１は図３の左方向に移動するのが防止される。
【００２７】
図３に示すように、シャックルピン１１が対向一対の軸部３ａ、３ｂの端部間に形成された開口７を閉鎖する状態において、そのシャックルピン１１を弛める方向に回転し、ねじ孔５に対するねじ軸１２のねじ係合を解除して軸方向に引くことにより、対向一対の軸部３ａ、３ｂの端部間に形成された開口７を開放することができる。
【００２８】
図２および図４（IV）は、開口７を開放した状態を示し、そのシャックルピン１１の開放状態において、先端部に設けられたねじ軸１２の付け根側の端面が大径孔部６ａの閉塞端面と軸方向で対向し、上記シャックルピン１１に図２の矢印で示す方向の軸力が付加されると、ねじ軸１２の付け根側の端面１２ａが大径孔部６ａの閉塞端面に当接する。その当接によってシャックルピン１１は抜止めされる。
【００２９】
このように、シャックルピン１１がシャックル本体１の対向一対の軸部３ａ、３ｂの端部間に形成された開口７を閉鎖する状態で、シャックルピン１１の後端部に設けられた頭部１３の付け根が他方の軸部３ｂに形成されたピン挿通孔６の小径孔部６ｂの外側開口端の周囲部と軸方向で対向し、また、上記開口７を開放する状態でねじ軸１２の付け根側の端面１２ａが大径孔部６ａの閉塞端面と軸方向で対向するため、シャックルの使用の際にシャックルピン１１が脱落することがなく、シャックルを安全に使用することができる。
【００３０】
実施の形態においては、ピン挿通孔６を段付き孔としたが、ねじ孔５の内径より小径でシャックルピン１１の外径より大径のストレート孔としてもよい。
【符号の説明】
【００３１】
２    屈曲部
３ａ  軸部
３ｂ  軸部
５    ねじ孔
６    ピン挿通孔
６ａ  大径孔部
６ｂ  小径孔部
１１  シャックルピン
１２  ねじ軸
１３  頭部
【図１】
2011080517.tif 000003
【図２】
2011080517.tif 000004
【図３】
2011080517.tif 000005
【図４】
2011080517.tif 000006